(57)【要約】  本発明は、薬品またはそれに類する危険な製品のための小児用安全カートンパッケージに関する。そのパッケージは、外側スリーブ２と、摺動するようにそのスリーブから引き出されることが可能であり、包装製品を所持する挿入部３と、スリーブと挿入部とのあいだのロック機構７，９とを備える。本発明によれば、少なくとも外側スリーブ２は、耐引き裂き性を増大するように、押出し成形コーティングポリマーで強化されるボードから製造される。そのボードは、好ましくは、ボードの両側面に、ポリエステルなどの強度が優れ弾力性のあるポリマーの強化層を有することができる。さらに、ポリオレフィンの同時押出し成形された外側ヒートシール層を有してもよい。切断縁は、ボードの層間剥離に備えてポリマーシールドで保護されることができる。同じ押出し成形コーティングボードを内側スリーブにも使用することが可能である。
2007511435.tif 000002
【特許請求の範囲】
【請求項１】
小児用安全カートンパッケージであって、前記パッケージは、繊維をベースにした材料の外側スリーブ（２）と、前記スリーブから摺動するように引き出されることが可能で、包装製品を所持する挿入部（３）と、子供が前記スリーブから前記挿入部を引き出すことを防止する、前記スリーブと前記挿入部とのあいだのロック機構（７，９）とを備え、前記外側スリーブ（２）は、耐引き裂き性を増大するように、押出し成形コーティングポリマーで強化されるボードから製造されることを特徴とする小児用安全カートンパッケージ。
【請求項２】
前記ボードは、ポリエステル、ポリアミド、ポリプロピレンおよびポリカーボネートからなる群から選択される強度が優れ弾力性のあるポリマーのコーティング層を有することを特徴とする請求項１記載のカートンパッケージ。
【請求項３】
前記コーティングポリマーは、ポリエチレンテレフタレート（ＰＥＴ）であることを特徴とする請求項２記載のカートンパッケージ。
【請求項４】
それの両側面の前記ボードには、強度が優れ弾力性のあるポリマーのコーティング層が設けられることを特徴とする請求項２または３記載のカートンパッケージ
【請求項５】
前記コーティングは、強度が優れ弾力性のあるポリマーの内側強化層と外側ヒートシールポリマー層とを備えることを特徴とする請求項１〜４のいずれかに記載のカートンパッケージ。
【請求項６】
前記挿入部（３）は、外側スリーブ（２）と同じポリマー押出し成形コーティングボードから製造されることを特徴とする請求項１〜５のいずれかに記載のカートンパッケージ。
【請求項７】
前記外側スリーブ（２）の少なくとも外側の前記切断縁には、前記ボードの層間剥離に備えたポリマーシールドが設けられることを特徴とする請求項１〜６のいずれかに記載のカートンパッケージ。
【請求項８】
前記ボードは、切断縁が破損した場合、繊維をベースにした材料層に沿って薄い層に剥離することを特徴とする請求項１〜７のいずれかに記載のカートンパッケージ。
【請求項９】
前記スリーブ（２）は、前記挿入部（３）の摺動方向（Ｓ）に平行な４つの長手方向側壁（２ａ，２ｂ，２ｃ，２ｄ）と、前記挿入部を前記スリーブから引き出させるオープン端部（４）とを備えることと、前記ロック機構は、前記スリーブの第一のストップタブ（７ａ）であり、前記長手方向の壁の第一（２ｃ）から第二（２ａ）に延出して、前記第一の長手方向壁および前記第二の長手方向壁から少なくとも部分的に分離される、第一のストップタブ（７ａ）と、前記挿入部に設けられる第一のロックエッジ（９ａ）とを備え、前記挿入部は、前記第一のロックエッジと前記第一のストップタブとの接触時、前記スリーブから移動することが防止され、一方前記第一のロックエッジは、使用者が前記挿入部の一部を弾性変形することにより、前記第一のストップタブを通り過ぎての移動が可能とされるように移動されることが可能であることを特徴とする、請求項１〜８のいずれかに記載のカートンパッケージ。
【請求項１０】
前記外側スリーブ（２）は、前記使用者の指によって前記ロック（７，９）のリリースを可能にする１つ以上の穴（１０）を有することを特徴とする請求項１〜９のいずれかに記載のカートンパッケージ。
【請求項１１】
前記外側スリーブ（２）は、前記ポリマー押出し成形コーティングボードのブランク（２′）を折り曲げて、前記ボードのコーティングポリマーをヒートシールして前記折り曲げたブランクのオーバーラップ部分（１７）（１８）を互いにシームすることによって作られ、前記スリーブの外側の前記シームは、前記コーティングボードの層間剥離に備えてポリマーシールドすることによって保護される前記外側ボード部分（１７）のエッジを有することを特徴とする請求項１〜１０のいずれかに記載のカートンパッケージ。
【請求項１２】
前記外側ボード部分（１７）のエッジ部分（１５）が、これの内側からスカイビング仕上げされて、二重とされ、前記折り曲げた部分のポリマーコーティング（１３，１４）は、前記シームでの前記オーバーラップ内側ボード部分と外側ボード部分（１７，１８）とのあいだに前記層間剥離シールドと、前記ヒートシール（１９）の少なくとも部分とを形成することを特徴とする請求項１１記載のカートンパッケージ。
【請求項１３】
薬品またはそれに類する危険な製品のための小児用安全カートンパッケージのための、ポリマー押出し成形コーティングボード（１１）の用途であって、前記パッケージは、外側スリーブ（２）と、摺動可能な挿入部（３）と、前記外側スリーブと前記挿入部とのあいだのロック機構（７，９）とを備えるポリマー押出し成形コーティングボード（１１）の用途。
【請求項１４】
請求項１３に記載のポリエチレンテレフタレート（ＰＥＴ）の使用。
【請求項１５】
ポリエステル、ポリアミド、ポリプロピレンおよびポリカーボネートからなる群から選択される強度が優れ弾力性のあるポリマーの内側層と、ポリオレフィンの外側ヒートシール層とを有する、請求項１３記載の小児用安全カートンパッケージのためのポリマー押出し成形コーティングボードの用途。
【請求項１６】
前記カートンパッケージの前記外側スリーブ（２）と、前記摺動可能な挿入部（３）と、前記ロック機構部分（７，９）のための請求項１３〜１５のいずれかに記載の耐引き裂き性のポリマー押出し成形コーティングボード（１１）の用途。
【発明の詳細な説明】
【技術分野】
【０００１】
本発明は、小児用安全カートンパッケージに関し、前記パッケージは、繊維をベースにした材料製の外側スリーブと、前記スリーブから摺動するように引き出されることが可能であり、包装製品を所持する挿入部と、子供が前記スリーブから前記挿入部を引き出すことを防止する、前記スリーブと前記挿入部とのあいだのロック機構とを備える。さらに、本発明は、上述したカートンパッケージのための、特定のファイバーベースボードの用途を含む。
【０００２】
小さい子供に危険をもたらす薬品または他の製品のための消費者パッケージは、子供がそのパッケージの内容物に容易に触れることを妨げるように設計される必要がある。スリーブとそのスリーブから引き抜かれることが可能な摺動挿入部とから構成されるボックス式パッケージにおいて、このことは、迅速な操作のためには一般的な大人の手を必要とするような大きさとされたロック機構によって達成される。上述のパッケージがマーケットに許容されるためにパスしなければならない、小児用安全を規定するテストには、国際基準ＩＳＯ８３１７をはじめとする基準がある。
【０００３】
ロック手段を有する小児用安全薬品パッケージは、プラスチックから製造されてきたが、つい最近、さらに、ペーパーボードおよびカードボードが、上述のパッケージのための材料として導入、または、提案されている。
【０００４】
ＥＰ  １  ００２  ７４４  Ａ１は、製品を収納する内部のペーパーボード摺動カードと、外部のペーパーボードスリーブとのあいだに配置される小児用安全ロックシステムとを有する、２つの部分からなるペーパーボードパッケージについて説明している。それらのピースをロックするために、そのシステムは、スリーブの内側の肩部と接触する、内側摺動状態のタブを有する。その部分のリリースは、リリースボタンをプレスすることによって行われる。使用されるペーパーボードの厚さは、０．２ｍｍから０．７ｍｍの範囲内であり、通常、１つの側面の表面もしくは両側面にクレーコーティングを有するように説明されている。そのコーティングは、高度の円滑性と優れたグラフィックプリント表面とを与えると教示されている。
【０００５】
ＥＰ  １  ００２  ７４４  Ａ１による機構における弱点は、国際公開第０２／３８４５４号パンフレットに指摘されており、すなわち、そのロックシステムは、外側スリーブに十分に厚い材料を選択するかどうかに左右される。材料が薄すぎると、ロックの安全性を危険な状態におく。国際公開第０２／３８４５４号パンフレットにおける教示は、薄いカードボード材料が使用される場合でさえ、繰返しの使用における磨耗に対して安全であり、耐性があるロックを達成するための、改良された構造に関するものである。
【０００６】
より詳細には、国際公開第０２／３８４５４号パンフレットに記述される小児用安全パッケージは、カードボードのシートを折り曲げて接着することによって製造される、外側スリーブおよび摺動可能な挿入部を備え、それらのあいだにロックシステムが設けられる。スリーブの内側には、スリーブの対向する側面壁のそばに、挿入部の摺動方向に連続して配置されるキャッチタブと操作タブとが設けられる。挿入部には、同様に、これの対向する側面壁のそばにロックタブが設けられる。カードボードから製造されるために、スリーブにおける、そして、挿入部におけるタブは、フレキシブルである。挿入部はスリーブへ押し込まれるので、ロックタブは、キャッチタブの下に摺動し、操作タブの下に存在することになる。とはいえ、２つのキャッチタブは、摺動方向に下方への傾斜を有し、そのために、それらは、ロックタブと係合し、スリーブが引き出されることを防止する。パッケージを開口するためには、使用者は、ロックタブを係合からリリースするために、スリーブの２つの穴を通して片手の指で操作タブをロックタブに向かって圧す必要があり、その結果、もう一方の手によって挿入部をスリーブから引き出すことが可能となる。
【０００７】
本出願人によって所有される以前の、これまで公開されていない国際出願ＰＣＴ／ＳＥ０２／０１６００には、薬品などのための２つの部分からなるペーパーボードパッケージのための改良されたロックシステムが記述されている。前記パッケージの具体的な特色は、外側スリーブの対向するエッジまたは側面壁におけるロック機構をリリースするための穴の位置である。一般に、その教示は、構造を簡素化して、製造を容易にすることを意図している。
【０００８】
薬品用の別の先行技術の２つの部分からなるカートンパッケージは、米国特許第６４９１２１１号明細書に記述されている。外側カートンは、あらゆる適切な材料、サルフェートのペーパーボード、クレーコーティングされた再生または再利用ペーパーボードのブランクから形成され、０．００８インチから０．０２８インチ（約０．２ｍｍから０．７ｍｍ）の厚さを有することが特に好ましいと教示されている。
【０００９】
異なるタイプの薬品パッケージは、プレススルーまたはブリスターパックであり、フレキシブルなバブルを有するプラスチックシートと、そのプラスチックシートに取り付けられる、圧し破ることの可能なアルミホイルのシートとを備える。シートのあいだの区画またはブリスターに含まれる丸薬は、裂けるホイルを通してそれを圧し出すようにプレスすることによって取り出される。欧州特許第０７７１７３７号明細書には、ブリスターパックが記述され、それは、破ることができないバッキングシートをこれに設けることによって小児用安全とされ、そのバッキングシートは、ヒートシール層と、ホイル層と、他の強度なポリマー材料のポリエステルの層と、プリンティングのための外側ペーパー層とを備える。バッキングシートは、バッキングシートをはがすことによってパッケージを開口させる開口機能として、ほとんど目に見えない切り込み線カットを有し、開口機能の使用には成人の認識技術を必要とし、それと対照的に子供の認識技術ではこれを使用することができない。国際公開第０３／０６６３２３号パンフレットは、さらにまた、ヒートシール層と、引き裂き耐性ポリマー層と、プリンティングのためのペーパーボード基板とを供える小児用安全ブリスターパックのための積層について記述している。積層には、成人によっては容易に理解されるが、子供には理解しづらい使用説明書によりパッケージの開口を方向付けるように制御された脆弱部分が設けられる。
【００１０】
使い捨ての消費者パッケージのための材料として、ファイバーベースボードは、一般に、より安い材料または製造コストと、環境上の観点から、プラスチックよりも好ましい。とはいえ、カートンパッケージを本出願人による小児用安全テストに供すると、進歩していたにもかかわらず、予測に反して上述のパッケージはまだ必要条件を満たしていないということがすぐに判明した。先行技術は、これの構造剛性および耐摩耗性を増加するために、かつ、子供のいたずらに対して耐えさせるために、ロック機構を改良することに焦点を合わせてきたのに対して、そのテストでは、弱点は、ロック機構のデザインではなくて、むしろ、材料自体であることを示した。好奇心からであろうと、他のあらゆる理由からであろうと、子供は、ボードパッケージを引き裂くことによってあっけなくこれを開口し、簡単に内容物に触れることができる。
【００１１】
パッケージにおいて子供の興味を引く特徴は、ロック機構に必要とされる穴または他のアクセサリーである。しかし、子供は穴よりむしろ、挿入部開口またはシールから開始するスリーブを引き裂く。そこから材料は完全性を失い、裂けてしまう。
【発明の開示】
【００１２】
本発明の目的は、したがって、上述の構造上の弱点問題を解消する、薬品などのための繊維をベースにした材料のカートンパッケージを提供することである。特に、本発明の目的は、パッケージに使用される繊維をベースにした材料の改良によって、子供が内容物に触れることをより望ましく防止するパッケージを提供することである。それによって、改良された小児用安全パッケージを得られると同時に、先行技術に使用されるようなプラスチックだけからなるパッケージと比較した場合のペーパーボードまたはカードボード材料の利点を実質的に保つ。
【００１３】
本発明の目的は、特に、デザインおよび製造の全体を変更する必要なく、パッケージの強度を増加することであり、そのために、その改良は、容易に実現し、材料は別として、パッケージの製造コストを増加させないことである。
【００１４】
本発明によれば、上記目的は、子供にとって危険となりうる薬品または他の製品のための、２つの部分からなる小児用安全カートンパッケージを通して達成され、それは、耐引き裂き性を増加するために、押出し成形コーティングポリマーで強化されるボードから製造される外側スリーブを有する。
【００１５】
その強化材は、ファイバーベースボードにコーティングされた強度が優れ弾力性のあるポリマーの層でよい。本発明に使用される適切なコーティングポリマーは、ポリエステル、ポリアミド、ポリプロピレンおよびポリカーボネートからなる群から選択されるものであり、ポリエステルが好ましく、その中でもポリエチレンテレフタレート（ＰＥＴ）が、特に好ましい。
【００１６】
ボードは、その１つの側面にポリマーコーティングを有することができ、この側面は、その場合、スリーブの外側面に使用される。スリーブの外側をカバーするポリマーコーティングにより、子供が、歯で湿らし、材料を引き裂くことを防止する。とはいえ、ボードには、強度が優れ弾力性のあるポリマーのコーティング層がそれの両側面に設けられることが好ましい。いずれにせよ、コーティングポリマーは、スリーブをコーティングボードのブランクから一緒に折り曲げた状態を保つのに必要なヒートシールを形成するのに使用しうる。
【００１７】
ボードには、ＰＥＴなどの強度が優れ弾力性のあるポリマーの内側強化層と、ポリオレフィンの外側ヒートシール層とを備える多層コーティングが設けられることがより好ましい。上述の多層コーティングは、ボードの１つの側面に、または、好ましくは、ボードの両側面に施しうる。隣接する層は、同時押出し成形によって同時にボードにもたらされることが可能である。
【００１８】
本発明によるカートンパッケージにおいて、スリーブだけでなく挿入部も、強度が優れ弾力性のあるポリマーの強化層でコーティングされるボードから製造されることが可能である。特に、スリーブの開口端部を閉鎖する挿入部の端部面は、ポリマーコーティングを有することが利点であり、そのために、パッケージの外側は、全体を通して類似のポリマー強化を有する。挿入部は、外側スリーブと同じポリマー押出し成形コーティングボードから製造されることが好ましい。
【００１９】
カートンパッケージの外側スリーブに特に使用される強化ボードは、未加工の切断縁が十分な引き裂き力を受けた場合薄い層に剥離するような構造を有することができる。そのように裂けた場合でさえ、ヒートシールとともに、内側にポリマーコーティングを含む内側材料層はパッケージを閉鎖するように保ち、その結果、子供がこれの内容物に触れることを防止するのに成功するということが分かった。
【００２０】
あるいは、外側材料層の層間剥離、すなわち、はがれを第一の場所で防止すべく、少なくとも外側スリーブの外側のカットエッジを強化する特別な方法をとることも可能である。上述のテクニックの例として、ポリマーコーティングボードのエッジのスカイビング仕上げおよび折り曲げ、カットエッジへの接着剤の塗布または保護フィルムでのエッジのカバーについて述べられている。
【００２１】
本発明によるカートンパッケージは、スリーブが、挿入部の摺動方向に平行な４つの長手方向側壁と、リヤ壁と、挿入部を前記スリーブから引き出させるオープン端部とを備え、ロック機構が、スリーブの第一のストップタブであり、第一の長手方向壁から第二の長手方向壁に延出して、第一の長手方向壁および第二の長手方向壁から少なくとも部分的に分離される、第一のストップタブと、挿入部に設けられる第一のロックエッジとを備えるように構成されうる。その挿入部は、第一のロックエッジと第一のストップタブとの接触時、スリーブから移動することが防止され、一方第一のロックエッジは、使用者が挿入部の一部を弾性変形させることにより、第一のストップタブを通り過ぎての移動が可能とされるように移動されることが可能である。
【００２２】
ロック機構の操作のために、外側スリーブは、使用者の指によってロックのリリースを可能にする１つ以上の穴を有することができる。
【００２３】
本発明は、さらに、薬品などの危険な製品に用いる小児用安全カートンパッケージのための、ポリマー押出し成形コーティングボードの使用を含み、そのパッケージは、外側スリーブと、摺動可能な挿入部と、外側スリーブと挿入部とのあいだのロック機構とを備える。
【００２４】
本発明により使用されるコーティングボードは、既に記述されたものである。したがって、ＰＥＴなどの強度が優れ弾力性のある強化用のポリマーと、ポリオレフ内側どのヒートシールポリマーとで両側面がコーティングされるボードが好ましい。
【００２５】
押出し成形ポリマーコーティングで強化される上述のボードは、外側スリーブと、摺動可能な挿入部とに使用されることができ、その場合、さらに、カートンパッケージのロック機構も形成することになる。
【００２６】
本発明に使用されるボードベースは、１７０ｇ／ｍ2から５００ｇ／ｍ2の区間の重量、好ましくは、２００ｇ／ｍ2から３００ｇ／ｍ2区間の重量のクラフトボードでよい。ＰＥＴまたは他の適切な強度が優れ弾力性のあるポリマーの押出し成形コーティング層は、３０ｇ／ｍ2から１００ｇ／ｍ2の重量、好ましくは、４０ｇ／ｍ2から６０ｇ／ｍ2の重量を有する。低密度のポリエチレン（ＬＤＰＥ）またはポリプロピレン（ＰＰ）などのポリオレフィンによる押出し成形外側ヒートシール層は、１５ｇ／ｍ2から６０ｇ／ｍ2の重量、好ましくは、２０ｇ／ｍ2から４０ｇ／ｍ2の重量でよい。コーティングボードは、外側スリーブまたは挿入部または両方に使用され、ポリマーコーティングは、これの引き裂き強度を増加することによってボードを強化し、基準ＳＣＡＮ−Ｐ  １１：９６により少なくとも２０００ｍＮ、好ましくは、２５００ｍＮ以上となる利点を有する。
【００２７】
本発明は、図面を参照して下記に詳細に説明される。
【発明を実施するための最良の形態】
【００２８】
これの概括的な構造について、図１〜８に示されるパッケージは、この参照により本開示に含まれる国際出願ＰＣＴ／ＳＥ０２／０１６００に記述されている。本発明と関連して適用可能なロック機構を有するパッケージ構造の別の例示は、国際公開第０２／３８４５４号パンフレットに記載がなされ、国際公開第０２／３８４５４号パンフレットも、参照により本開示に含まれる。
【００２９】
図１は、本発明の好ましい実施形態によるパッケージ１を示す。そのパッケージは、本質的に平行六面体形状の外側スリーブ２と、パッケージの内容物を保持するように意図される挿入部３とを備える。スリーブ２および挿入部３は、押出し成形コーティングカードボード材料から製造されるブランクを折り曲げて、ヒートシールすることによって生成されることが好ましい（下記参照）。挿入部３は、スリーブ２の開口４を通って、図１に二重矢印で表示される摺動方向Ｓでスリーブ２に挿入され、スリーブ２から引き出されることが可能である。図１は、挿入部が完全に挿入された状態のパッケージ１を示す。図２は、挿入部３が一部分引き出された状態のパッケージ１を示し、パッケージの内容物にふれることが可能である。
【００３０】
スリーブ２は、摺動方向Ｓにほぼ平行である４つの長手方向壁を備える。長手方向壁は、上方壁２ａと、下方壁２ｂと、第一の側面壁２ｃと、第二の側壁２ｄとであり、上方壁２ａおよび第一の側壁２ｃは、図１および図２に認識できる。
【００３１】
開口４において、側壁２ｃ，２ｄのそれぞれはグリップノッチ５を有し、各グリップノッチにおいて、挿入部３は、引き出されるために指で握られることが可能である。パッケージの幅は、挿入部３がこのために十分に大きい手を有する人によってのみ握り得るように構成されることが好ましい。このことは、小さな子供の親指／人差し指グリップでは挿入部３を引き出すべくパッケージの幅全体に届かないことを意味する。
【００３２】
１つの端部において、挿入部３は、挿入部のブランクを折り曲げることによって生成されるビーム状部分６を有することが好ましい（下記参照）。ビームは、子供が挿入部の端部を変形して、その方法によりパッケージの内容物に到達することができないか、または、きわめて難しいほどの剛性を有する。
【００３３】
開口４において、スリーブ２は、それぞれ、上方壁２ａと下方壁２ｂとにほぼ平行に内方に折り曲げられる２つのタブを有することが好ましい（下記参照）。このことは、開口４における上方エッジおよび下方エッジが強化され、子供がパッケージの内容物に到達するためにこれらのエッジにおけるスリーブ２を裂いて開くことを、できなくさせるか、または、難しくさせること意味する。
【００３４】
図３は、折り曲げて、ヒートシールすることによってスリーブ２に形成される、押出し成形コーティングカードボードから製造されるスリーブのブランク２′を示す。図３に示されるように、スリーブのブランク２′は、上述のように、それぞれ、上方壁２ａと下方壁２ｂとにほぼ平行に内方に折り曲げられることによって、スリーブの開口４を強化する２つのタブ２１，２２を備える。
【００３５】
スリーブのブランク２′は、スリーブの上方壁２ａを形成するように意図される第一の部分２ａ′と、スリーブの下方壁２ｂを形成するように意図される第二の部分２ｂ′とを備える。第三の部分２ｃ′および第四の部分２ｃ″は、スリーブの第一の側壁２ｃを形成するように意図され、第四の部分２ｃ″は、第三の部分２ｃ′の内側に位置決めされるように意図される。対応するように、第五の部分２ｄ′および第六の部分２ｄ″は、スリーブの第二の側壁２ｄを形成するように意図される。
【００３６】
第七の部分７ａ′および第八の部分７ｂ′は、それぞれ、第一のストップタブ７ａおよび第二のストップタブ７ｂを形成するように意図され、それらは、スリーブ２における挿入部３のロックを達成するように作用し、このことは、下記により詳細に説明される。図３に示されるように、ストップタブを形成する部分７ａ′，７ｂ′は、本質的に三角形状を有し、その三角形のポイントの１つは、それぞれ、第四の部分２ｃ″および第六の部分２ｄ″の自由な長手方向エッジに位置される。第七の部分７ａ′および第八の部分７ｂ′は、それぞれ、第四の部分２ｃ″および第六の部分２ｄ″の自由な長手方向エッジの外側に突出し、それらは、前記自由エッジ内側の、それぞれのライン７ａ″，７ｂ″において折り曲げられるように意図される。
【００３７】
別の方法として、ストップタブを形成する部分は、三角形以外の形状、たとえば、矩形を有する。
【００３８】
スリーブのブランクが折り曲げられるとき、第四の部分２ｃ″および第六の部分２ｄ″は、それらの自由な長手方向エッジがそれぞれ、スリーブの上方壁２ａと第一の側壁２ｃおよび第二の側壁２ｄとのあいだの接続部に位置決めされるように折り曲げられる。第七の部分７ａ′および第八の部分７ｂ′は、次に、それらがスリーブの上方壁２ａと、第一の側壁２ｃおよび第二の側壁２ｄとに対してそれぞれある角度をなして位置決めされるように折り曲げられる。それらは、次に、それぞれ、第一のストップタブ７ａおよび第二のストップタブ７ｂを形成する。各ストップタブは、その結果、それぞれの側壁に接続されて、上方壁に支承することによってそれぞれの側壁に対してある角度を形成する。
【００３９】
図４は、破線によって表わされる特定の引っ込んだ部分を有する、互いに折り曲げられて、シールされたスリーブを示す。第一のストップタブ７ａおよび第二のストップタブ７ｂは、それぞれ、上方壁２ａと第一の側壁２ｃおよび第二の側壁２ｄとによって形成されるそれぞれのコーナーにおいて、スリーブの内側に位置する。第一のストップタブ７ａおよび第二のストップタブ７ｂはさらに、スリーブ２のリヤ壁２ｃから少し離れた所に位置する。
【００４０】
図５は、明瞭さのために、下からある角度をなして切り欠きされたスリーブ２の一部分を透視図で示す。第二のストップタブ７ｂは、第二の側壁２ｄの内側から上方壁２ａの内側に延出する。ストップタブ７ｂは、その結果、スリーブの壁２ａ，２ｄに対してある角度をなして延在し、そのために、少なくともこれの一部分は、摺動方向Ｓにおける挿入部３の移動のためのエリアの部分に位置される。下記により詳細に説明されるように、ストップタブ７ｂは、挿入部３がスリーブ２から引き出されることを防止するために、挿入部３と接触して作用する。ストップタブ７ｂがスリーブの壁の内側に延在し、これらから分離されているという事実は、ストップタブ７ｂの機能性が繰返し使用後もスリーブの摩耗に影響されないことを確実にする。さらにまた、ストップタブが特にその目的のために意図される突出部などの手段を必要とせず、スリーブ壁から分離される、という解決法も得られている。
【００４１】
図５に示されるように、ストップタブ７ｂは、さらに、挿入部３の摺動方向Ｓに対して角度をなし、そのために、ストップタブのスリーブの開口４に最も近接して位置する部分は、ストップタブの他の部分よりもスリーブ壁２ａ，２ｄに近接して位置する。これにより、挿入部がスリーブへ挿入される時、下記により詳細に説明される、挿入部３のロック用部分は、ストップタブ７ｂとの接触時の弾性変形によって、ストップタブ７ｂを通過し、通過後“スナップ”バックする（はね返る）ことができる。ストップタブ７ｂのこのデザインはさらに、下記に説明するように、ロックを外す巧妙な技術なくしてこれを引き出す試みが行われるとき、これが非常に強く、そして、大きい力に耐えうることを意味する。
【００４２】
図６は、挿入部３を示し、図７は、折り曲げと、適宜ヒートシールを施すことによって挿入部を製造するブランク３′を示す。挿入部のブランクは、上述のビーム６を作る部分６′を備える。
【００４３】
挿入部３は、底面部分３ａ′と、第一の側面部分３ｂと、第二の側面部分３ｃとを備える。挿入部の挿入状態において、側面部分３ｂ．３ｃは、スリーブ２の側壁２ｃ，２ｄにほぼ平行に、かつ、スリーブ２の側壁２ｃ，２ｄの近くに位置する。側面部分３ｂ，３ｃは、スリーブ１において、ほぼ挿入用の摺動方向Ｓに延在する。側面部分３ｂ，３ｃは、底面部分３ａに接続されて、それに対してほぼ直角に方向付けられる。
【００４４】
各側面部分３ｂ，３ｃは、ノッチ８ａ，８ｂを有し、このノッチにおいて、第一のロックエッジ９ａおよび第二のロックエッジ９ｂが、それぞれ形成される。挿入部の挿入状態において、ロックエッジ９ａ，９ｂは、ストップタブ７ａ，７ｂよりもスリーブのリヤ壁２ｅにわずかに近接して位置し、スリーブから挿入部を引き出す試みが行われる場合、この試みは、ロックエッジ９ａ，９ｂのエリアにおいて、それぞれ、第一のストップタブ７ａと第二のストップタブ７ｂと接触する側面部分３ｂ，３ｃによって防止される。
【００４５】
図３に示されるように、スリーブのブランク２′は、第三の部分２ｃ′および第五の部分２ｄ′に、以下外側ホール１０ａ′，１０ｂ′と称される、穴１０ａ′，１０ｂ′と、第四の部分２ｃ″および第六の部分２ｄ″に、下記で内側ホール１０ａ″，１０ｂ″と称される、穴１０ａ″，１０ｂ″とを有する。内側ホール１０ａ″，１０ｂ″は、それぞれの内側ホールのほぼ直線のエッジにおいて、スリーブのブランクに接続されるフラップ１０１によってそれぞれカバーされ、そのために、フラップは、直線エッジまわりを旋回可能である。
【００４６】
スリーブ３の仕上げ状態において、第一の側壁２ｃおよび第二の側壁２ｄは、それぞれ、第三の部分２ｃ′および第四の部分２ｃ″と、第四の部分２ｄ′および第六の部分２ｄ″の部分とを備える。この点において、第三の部分２ｃ′および第五の部分２ｄ′は、それぞれ、第四の部分２ｃ″および第六の部分２ｄ″の外側に位置される。フラップ１０１および外側ホール１０ａ′，１０ｂ′は、サイズの点でフラップ１０１がそれぞれの外側ホール１０ａ′，１０ｂ′のエリアの外側に延在するようになされているので、それらは、パッケージ内で内方にのみ旋回可能である。その場合、フラップがパッケージの外側に移動され、そのために損傷されることが防止される。
【００４７】
図１、図２および図４に示されるように、内側ホール１０ａ″，１０ｂ″および外側ホール１０ａ′，１０ｂ′は、完成した折り曲げ済みのスリーブ２において、第一の側壁２ｃに第一の穴１０ａを、そして、第二の側壁２ｄに第二の穴１０ｂをそれぞれ形成する。パッケージは、使用者が親指／人差し指グリップでパッケージの全体を握れるようになされる。使用者は、次に、フラップ１０１を内方に移動するために穴１０ａ，１０ｂのそれぞれに指を押しつけ、スリーブの内側に挿入部の側面部分３ｂ，３ｃを押しつけることが可能であり、そのため、図８に示される（１つの側面部分３ｃのみが示される）ように、少なくともロックエッジのエリアにおいて、側面部分はスリーブ２において内方に傾斜するように弾性的に変形される。次にロックエッジ９ａ，９ｂは、スリーブの側壁２ｃ，２ｄから離れて移動する。このように、ロックエッジ９ａ，９ｂは、挿入部３の摺動方向Ｓに示されるように、ストップタブ７ａ，７ｂの範囲のエリアの外側に位置することになり、挿入部は、使用者のもう１つの手の親指／人差し指グリップがグリップノッチ５（図１および図２を参照して上述した）を握ることによって、スリーブから引き出されることが可能である。
【００４８】
パッケージの幅は、小さな手を有する人、たとえば子供が、ロックエッジ９ａ，９ｂによってロックを操作するために親指と人差し指を広げてパッケージ全体を握ることができないようになされることが好ましい。パッケージの開口は、その結果、一般的な大きさである成人の手の両方使用することを必要とする。
【００４９】
挿入部の長手方向の側面部分におけるロック用部分のデザインは、強固な構成をもたらし、したがって、強化ボードと組み合せることにより、挿入部が、力によって、たとえば、子供によって引き出される恐れは減少する。
【００５０】
図９は、図１ないし図８を参照して上記に説明されるカートンパッケージに適用されるコーティングボードの概略断面図である。コーティングボードは、図３および図７に示されるブランクを、その結果、パッケージ全体、すなわち、スリーブおよび挿入部、したがって、さらに、説明されるようにスリーブの一部であるロック機構をも形成することとなる。
【００５１】
図９のコーティングパッケージボード１１はボードベース１２を備え、ボードベース１２は１７０ｇ／ｍ2から５００ｇ／ｍ2の区間の重量、好ましくは、２００ｇ／ｍ2から３００ｇ／ｍ2の重量の多層クラフトボードであることが好ましい。クラフトボードベース１２の両側面に、強度が優れ弾力性のあるポリマー、好ましくは、ポリエチレンテレフタレート（ＰＥＴ）の押出し成形層１３があり、各ＰＥＴ層は、３０ｇ／ｍ2から１００ｇ／ｍ2の重量、好ましくは、４０ｇ／ｍ2から６０ｇ／ｍ2の重量を有する。多層構造は、ボードベース１２に対して相称的であり、ボードベースの対向する側面のＰＥＴ層は、その場合、類似のコーティング重量を有する。
【００５２】
図１０に示されるコーティングボード１１は、主に押出し成形ポリマーコーティング層１３がボードベース１２の１つの側面のみにあるという点で、図９に示されるものと異なる。ボードベースの材料および重量は、上記のとおりでよく、単一のポリマー層は、３０ｇ／ｍ2から１００ｇ／ｍ2の重量、好ましくは、４０ｇ／ｍ2から６０ｇ／ｍ2の重量を有するＰＥＴ層であることが好ましい。ボードのＰＥＴコーティング側面は、パッケージを作る際にスリーブの外側表面および挿入部を形成するのに使用されることになる。
【００５３】
図１１は、図１ないし図８に記述されるパッケージに使用されることが好ましいコーティングボード１１を示す。図１１のコーティングボードは、上記の図９に関連して示され説明されるものに相当するが、その両側面に、好ましくは、ＬＤＰＥの、外側ヒートシールポリマー層１４を有する。ＬＤＰＥ層１４のそれぞれは、１５ｇ／ｍ2から６０ｇ／ｍ2の重量、好ましくは、２０ｇ／ｍ2から４０ｇ／ｍ2の重量を有する。ＰＥＴ層１３およびＬＤＰＥ層１４は、同時押出し成形による単一の製造工程で、繊維質ボードベース１２にもたらされることができる。
【００５４】
パッケージ１の製造において、ポリマーコーティング層１３，１４は、スリーブおよび挿入部に必要とされるようなヒートシールを形成するのに使用される。図１２は、２つの平行なシーム１５を備えるスリーブ２の底面側面を示し、スリーブのブランク２′の２つの対向するエッジは、下方壁部分２ｂ′とオーバーラップするようにもたらされる。図９および図１１に示されるように両側面にポリマーコーティングを有するボード１１の場合、ブランクのオーバーラップ部分のコーティング層１３または１４は、ポリマーを溶融するのに十分な熱によって融合される。図１０の単独にコーティングされたボードの場合、オーバーラップ部分は、単一のポリマー層１３の一部分を溶融し、これを他の部分の、隣接するコーティングされていないボードの表面に取り付けることによってシールされる。
【００５５】
図１３および図１４は、本発明の別の実施形態として、外側スリーブ２のシーム１５の、コーティングボードの層間剥離に対する保護を示す。パッケージ外側の露呈シーム１５から始まる層間剥離は、パッケージが子供達の手で損傷を受ける可能性のある破砕の方法として考えられるものの１つである。層間剥離は、ポリマーコーティングのボードベースからの剥離、または、多層の繊維質ボードの隣接する層間での剥離、のいずれかによって生じうる。
【００５６】
図１３において、図１１に示されるようなコーティングボード１１から作られ、図３に示されるようなデザインを有する、ブランク２′のエッジ部分１６は、これの厚さをほぼ半分に減らすために、ブランクの１つの側面からスカイビング仕上げされた。上述のスカイビング仕上げは特に、仕上げたスリーブ２の外側に露呈シームエッジ１５を形成するブランク２′の部分に対して行われることが理解されるべきである。
【００５７】
図１４において、折り曲げられ、ヒートシールされてスリーブ２を形成するシームが、図１３のブランク２′のオーバーラップ部分１７，１８の間に、示される。スカイビング仕上げしたエッジ部分１６を有する部分１７は、シームの外側ボード部分であり、スリーブの外側に、より詳細には、ブランク２′およびスリーブ２が、それぞれ、図３および図８に示されるような構造を有するようなこれの底面に位置する。
【００５８】
図１４に示されるように、材料の厚みが減少した外側ボード部分１７のスカイビング仕上げしたエッジ部分１６は、二重に曲げられ、外側コーティング層は、したがって、シームエッジ１５において繊維質ボードベース１２を囲み、内側ボード部分１８の外側コーティング層に接して位置するように延在する。部分１７，１８の間のシームは、図１４において１９と表わされるエリア内の隣接するヒートシール層１４，１４′をヒートシールすることによって生成され、内側部分１８のアウトヒートシール層１４′は、内側の部分および外側部分１７の折り曲げられた外側ヒートシール層１４と融合される。所望の場合、接着剤が、折りたたみ部に内側構造の強度をもたらすように、スカイビング仕上げによって生成される未加工のボードベース１２の表面に塗布されることができる。
【００５９】
層間剥離をこうむらないようにシーム１５をシールドする別の方法は、繊維質ボードベース１２の気孔を閉鎖するため、そのカットした未加工エッジに接着剤を塗布することである。上述の接着は、パッケージ１の外側に露呈されるあらゆるカットエッジ部分に行われることが好ましい。
【００６０】
図１５に示される実施形態において、シーム１５を形成するブランク２′のエッジ部分は、切断縁を互いに防護接触をもたらすように延在し、それらをいたずらおよび層間剥離の危険に耐えうるようにする。
【００６１】
図１６は、別の実施形態として、強度が優れ弾力性のあるプラスチック材料の接着された保護フィルム２０でのカバーによる、シーム１５における未加工のカットエッジ、およびスリーブ２の穴１０の周囲のシールドを示す。図１７によれば、いたずらおよび層間剥離をこうむらないようにそのカットエッジ２１をシールドするために、同様の保護フィルム２０が外側スリーブ２の開口部分４まわりに貼りつけられている。そうでない場合、スリーブ２の材料は、図９ないし図１１に関連して記述されるもののいずれか１つでよい。
【実施例】
【００６２】
コーティングボードは、ボードベースとして、２１０ｇ／ｍ2の重量を有する、Ｓｔｏｒａ  Ｅｎｓｏによる等級Ｃｕｐｆｏｒｍａ  Ｃｌａｓｓｉｃのパッケージボードを使用して準備された。このボードは、重量５０ｇ／ｍ2のＰＥＴ層で、その１つの側面または両側面に、押出し成形コーティングされた。基準ＳＣＡＮ−Ｐ  １１：９６により測定される引き裂き強度は、以下の表に呈されている：
【００６３】
【表１】
2007511435.tif 000003
【００６４】
２５０ｇ／ｍ2の重量を有するパッケージボード等級の接着によって、その両側面に５０ｇ／ｍ2のＰＥＴコーティング層を有して製造される図１ないし図８によるパッケージは、試験的にＩＳＯ  ８３１７基準による小児安全テストに供され、パスした。対照的に、３１５ｇ／ｍ2の重量を有するパッケージボード等級で製造され、ＰＥＴコーティング層なしで同様に設計されたパッケージは、該当するテストに失敗した。
【図面の簡単な説明】
【００６５】
【図１】本発明の実施形態によるパッケージの斜視図を示す。
【図２】図１のパッケージの別の斜視図を示す。
【図３】図１のパッケージの一部分のための製造ブランクを示す。
【図４】図３の製造ブランクから製造されたパッケージの一部分の斜視図を示し、特定の引っ込んだ部分は、破線によって表わされる。
【図５】図４の部分の切り欠き部分を斜視図で示す。
【図６】図１のパッケージの一部分の斜視図を示す。
【図７】図６の部分のための製造ブランクを示す。
【図８】図１および図２のパッケージの一部分の横断面を示す。
【図９】図１ないし図８によるパッケージに使用可能な材料を概略断面図として示す。
【図１０】本発明によるパッケージに使用可能な別の材料を概略断面図として示す。
【図１１】図２のＸＩ−ＸＩの断面であり、図１ないし図８によるパッケージに使用される材料を概略的に示す。
【図１２】図１に対応し、シームでシールドされた切断縁を有するパッケージの底面図を示す。
【図１３】本発明によるパッケージの一部分のためのブランクのスカイビング仕上げしたエッジ部分を断面で示す。
【図１４】図１２のＸＩＶ−ＸＩＶの断面であり、図１３のブランクの使用によって形成されるパッケージのシームエリアを示し、そのシームは、スカイビング仕上げしたエッジ部分を備える。
【図１５】図１２に対応し、本発明によるパッケージの変形を底面図で示す。
【図１６】本発明によるパッケージの別の変形の底面図を示す。
【図１７】本発明によるパッケージのさらに別の変形の一部分を示す。
【図１】
2007511435.tif 000004
【図２】
2007511435.tif 000005
【図３】
2007511435.tif 000006
【図４】
2007511435.tif 000007
【図５】
2007511435.tif 000008
【図６】
2007511435.tif 000009
【図７】
2007511435.tif 000010
【図８】
2007511435.tif 000011
【図９】
2007511435.tif 000012
【図１０】
2007511435.tif 000013
【図１１】
2007511435.tif 000014
【図１２】
2007511435.tif 000015
【図１３】
2007511435.tif 000016
【図１４】
2007511435.tif 000017
【図１５】
2007511435.tif 000018
【図１６】
2007511435.tif 000019
【図１７】
2007511435.tif 000020
【手続補正書】
【提出日】平成18年2月20日(2006.2.20)
【手続補正１】
【補正対象書類名】特許請求の範囲
【補正対象項目名】全文
【補正方法】変更
【補正の内容】
【特許請求の範囲】
【請求項１】
小児用安全カートンパッケージであって、前記パッケージは、繊維をベースにした材料の外側スリーブ（２）と、前記スリーブから摺動するように引き出されることが可能で、包装製品を所持する挿入部（３）と、子供が前記スリーブから前記挿入部を引き出すことを防止する、前記スリーブと前記挿入部とのあいだのロック機構（７，９）とを備え、前記外側スリーブ（２）は、耐引き裂き性を増大するように、それの両側が強度が優れ弾力性のあるポリマーの押出し成形コーティング層で強化されるボードから製造されることを特徴とする、小児用安全カートンパッケージ。
【請求項２】
前記ボードは、ポリエステル、ポリアミド、ポリプロピレンおよびポリカーボネートからなる群から選択される強度が優れ弾力性のあるポリマーのコーティング層を有することを特徴とする請求項１記載のカートンパッケージ。
【請求項３】
前記コーティングポリマーは、ポリエチレンテレフタレート（ＰＥＴ）であることを特徴とする請求項２記載のカートンパッケージ。 
【請求項４】
前記コーティングは、強度が優れ弾力性のあるポリマーの内側強化層と外側ヒートシールポリマー層とを備えることを特徴とする請求項１〜３記載のカートンパッケージ。
【請求項５】
前記挿入部（３）は、外側スリーブ（２）と同じポリマー押出し成形コーティングボードから製造されることを特徴とする請求項１〜４のいずれかに記載のカートンパッケージ。
【請求項６】
前記外側スリーブ（２）の少なくとも外側の前記切断縁には、前記ボードの層間剥離に備えたポリマーシールドが設けられることを特徴とする請求項１〜５のいずれかに記載のカートンパッケージ。
【請求項７】
前記ボードは、切断縁が破損した場合、繊維をベースにした材料層に沿って薄い層に剥離することを特徴とする請求項１〜６のいずれかに記載のカートンパッケージ。
【請求項８】
前記スリーブ（２）は、前記挿入部（３）の摺動方向（Ｓ）に平行な４つの長手方向側壁（２ａ，２ｂ，２ｃ，２ｄ）と、前記挿入部を前記スリーブから引き出させるオープン端部（４）とを備えることと、前記ロック機構は、前記スリーブの第一のストップタブ（７ａ）であり、前記長手方向の壁の第一（２ｃ）から第二（２ａ）に延出して、前記第一の長手方向壁および前記第二の長手方向壁から少なくとも部分的に分離される、第一のストップタブ（７ａ）と、前記挿入部に設けられる第一のロックエッジ（９ａ）とを備え、前記挿入部は、前記第一のロックエッジと前記第一のストップタブとの接触時、前記スリーブから移動することが防止され、一方前記第一のロックエッジは、使用者が前記挿入部の一部を弾性変形することにより、前記第一のストップタブを通り過ぎての移動が可能とされるように移動されることが可能であることを特徴とする、請求項１〜７のいずれかに記載のカートンパッケージ。
【請求項９】
前記外側スリーブ（２）は、前記使用者の指によって前記ロック（７，９）のリリースを可能にする１つ以上の穴（１０）を有することを特徴とする請求項１〜８のいずれかに記載のカートンパッケージ。
【請求項１０】
前記外側スリーブ（２）は、前記ポリマー押出し成形コーティングボードのブランク（２′）を折り曲げて、前記ボードのコーティングポリマーをヒートシールして前記折り曲げたブランクのオーバーラップ部分（１７）（１８）を互いにシームすることによって作られ、前記スリーブの外側の前記シームは、前記コーティングボードの層間剥離に備えてポリマーシールドすることによって保護される前記外側ボード部分（１７）のエッジを有することを特徴とする請求項１〜９のいずれかに記載のカートンパッケージ。
【請求項１１】
前記外側ボード部分（１７）のエッジ部分（１５）が、これの内側からスカイビング仕上げされて、二重とされ、前記折り曲げた部分のポリマーコーティング（１３，１４）は、前記シームでの前記オーバーラップ内側ボード部分と外側ボード部分（１７，１８）とのあいだに前記層間剥離シールドと、前記ヒートシール（１９）の少なくとも部分とを形成することを特徴とする請求項１０記載のカートンパッケージ。
【請求項１２】
薬品またはそれに類する危険な製品のための小児用安全カートンパッケージのための、強度が優れ弾力性のあるポリマーで両側がコーティングされるポリマー押出し成形コーティングボード（１１）の用途であって、前記パッケージは、外側スリーブ（２）と、摺動可能な挿入部（３）と、前記外側スリーブと前記挿入部とのあいだのロック機構（７，９）とを備えるポリマー押出し成形コーティングボード（１１）の用途。
【請求項１３】
請求項１２記載のポリエチレンテレフタレート（ＰＥＴ）の用途。
【請求項１４】
ポリエステル、ポリアミド、ポリプロピレンおよびポリカーボネートからなる群から選択される強度が優れ弾力性のあるポリマーの内側層と、ポリオレフィンの外側ヒートシール層とを有する、請求項１２記載の小児用安全カートンパッケージのためのポリマー押出し成形コーティングボードの用途。
【請求項１５】
前記カートンパッケージの前記外側スリーブ（２）と、前記摺動可能な挿入部（３）と、前記ロック機構部分（７，９）のための請求項１２〜１４のいずれかに記載のポリマー押出し成形コーティングボード（１１）の用途。
【国際調査報告】
2007511435.tif 000021
2007511435.tif 000022
2007511435.tif 000023
2007511435.tif 000024